(57)【特許請求の範囲】
【請求項１】
商品本体に係止するホルダーであって、該ホルダーの両端部に前記商品本体のキャップ部を嵌挿し得る商品本体用孔（１）、（１２）を設け、また該ホルダーの略中央部に付帯小型容器の胴部又は底部を保持固定する付帯小型容器胴底部保持孔（７）を設けて、且つ、一方の前記商品本体用孔（１）の近傍で付帯小型容器胴底部保持孔（７）側に付帯小型容器首部保持孔（３）を設け、更に該付帯小型容器首部保持孔（３）と前記商品本体用孔（１）との間に、若しくは前記商品本体用孔（１）とは独立して付帯小型容器首部保持孔（３）側に設けた付帯小型容器首部挿入孔（１５）との間に、付帯小型容器首部保持孔（３）に通ずる連通溝（２）を設けると共に、該ホルダーに複数の折曲線を設け、付帯小型容器の前面と後面を包み込み吊り下げ保持されるようにしたことを特徴とする付帯小型容器吊り下げ用ホルダー。
【請求項２】
商品本体用孔（１）、（１２）の何れか一方、若しくは両方が、フック形状であることを特徴とする請求項１記載の付帯小型容器吊り下げ用ホルダー。
【発明の詳細な説明】
【０００１】
【発明の属する技術分野】
本発明は、サンプル等の付帯小型容器を吊り下げるための吊り下げ用ホルダーに関するものである。
【０００２】
【従来の技術】
従来、化粧水・乳液等の化粧品、シャンプー・リンス等のトイレタリー製品等のサンプルとして小型のボトルやチューブ等の容器を商品本体に付帯保持させる場合、商品本体とサンプル等をシュリンクフィルムにて一体に被覆して、シュリンクフィルムの収縮により被包する方法が知られている。
また、商品本体のキャップ部に挿通する孔を設けた吊り下げ用台紙にサンプル等を取り付けて、商品本体の首部に吊り下げる方法も知られている。吊り下げ用台紙への取り付けは、シュリンクフィルムが利用されたり、樹脂袋に収納されてステープラーにて止着されたりしている。
更には、サンプル等が樹脂袋に入れられ、商品本体に貼着される方法も知られている。
【０００３】
商品本体とサンプル等をシュリンクフィルムにて一体に被覆して、シュリンクフィルムの収縮により被包する方法は、シュリンクを施す設備が必要なことと、商品本体から自由に着脱できないという欠点があった。
シュリンクフィルムを利用して、商品本体のキャップ部に挿通する孔を設けた吊り下げ用台紙にサンプル等を取り付けて商品本体の首部に吊り下げる方法は、シュリンクを施す設備が必要なことと、コスト高となる欠点があった。
サンプル等を樹脂袋に収納してステープラーにて吊り下げ用台紙に止着して、商品本体の首部に吊り下げる方法は、サンプル等が重いと樹脂袋が破れたり、台紙から外れたりする場合があり、外観的にもスマートさに欠け、化粧品のような商品には不向きであった。
また、樹脂袋に入れ商品本体に貼着する方法も、サンプル等が重い物である場合には不向きであり、通常商品本体からの着脱を自在とするには不向きであるという欠点があった。
【０００４】
こういった欠点を解消するものとして、図１０に示すように、特定のボトル保持片（５１）にて、サンプルの首部を嵌挿し得るボトル保持孔（５２）を形成したことを特徴とする小型ボトル容器の吊り下げ用台紙（例えば、特開平８−４１２号公報参照）も知られている。
【０００５】
【発明が解決しようとする課題】
しかしながら、この方法も、ボトル保持片（５１）にてサンプルを首部のみしか保持していないため、サンプルを安定して保持できず、サンプルが重い物である場合には不向きであるという欠点を有するものであった。
【０００６】
本発明は、上記の課題に鑑みなされたものであって、サンプル等の付帯小型容器を、商品本体に安定して保持させるとともに、付帯品が多少の重い物である場合でも利用可能とし、更には付帯品を商品本体に対して着脱自在とした吊り下げ用ホルダーを提供することを目的とする。
【０００７】
【課題を解決するための手段】
上記課題を解決するために、本発明に係る吊り下げ用ホルダーにおいては、付帯小型容器の首部及び胴部を保持するとともに、付帯小型容器の前面と後面とを包み込むホルダーとしたので、付帯小型容器を商品本体に安定して保持させると共に、サンプル等の付帯小型容器が多少の重い物である場合でも利用可能とし、更には、付帯小型容器を商品本体に対して着脱自在にできることを見い出し本発明を完成した。
【０００８】
すなわち本発明は、ホルダーの両端部に商品本体用孔（１）、（１２）を設け、また、該ホルダーの略中央部に付帯小型容器胴底部保持孔（７）を設けるとともに、一方の商品本体用孔（１）と付帯小型容器胴底部保持孔（７）との間に、付帯小型容器首部保持孔（３）を設けて、且つ、ホルダーが折曲されて付帯小型容器の前面と後面とが包み込まれ吊り下げ保持されるようにしたことを特徴とする付帯小型容器吊り下げ用ホルダーである。
付帯小型容器首部保持孔（３）は、一方の商品本体用孔（１）と、若しくは商品本体用孔（１）とは独立して設けられた付帯小型容器首部挿入孔（１５）と連通溝（２）にて通ずるように設けられたものである。
また、商品本体用孔（１）、（１２）の何れか一方、若しくは両方が、フック形状であっても構わないものである。
【０００９】
本発明のホルダーの材質は、付帯品が吊り下げられる強度を有するものであれば何れのものでも利用できるが、好ましい材質としては、加工性、コスト等の点から、厚紙、樹脂シート板、樹脂コート厚紙が挙げられる。
【００１０】
【作用】
本発明の付帯小型容器吊り下げ用ホルダーにあっては、付帯小型容器の首部を付帯小型容器首部保持孔（３）で、付帯小型容器の胴部または底部を付帯小型容器胴底部保持孔（７）で保持するとともに、付帯小型容器の前面と後面とを、台紙で包み込む構造とし、両端の商品本体用孔（１）、（１２）にて、商品本体の首部に吊り下げて利用される。
而して、付帯小型容器は商品本体に安定して保持されるとともに、付帯品が多少の重い物である場合でも利用可能となっている。更には、付帯小型容器は商品本体に対して着脱自在であり、吊り下げ用ホルダーの利用性を向上させている。
【００１１】
【発明の実施の形態】
以下、本発明の実施の形態を図面とともに説明するが、本発明はこれらに限定されるものではない。
図１は本発明の付帯小型容器吊り下げ用ホルダーの一実施例の展開図である。なお、本発明は折曲げて使用するものあって、使用している状態は図６に示すものである。本発明の吊り下げ用ホルダーは、例えば、厚紙で形成される。
【００１２】
図１において、ホルダーの両端部に商品本体のキャップ部を嵌挿し得る商品本体用孔（１）、（１２）が設けられている。一方の商品本体用孔（１）には連通して連通溝（２）が穿設され、更に、該連通溝（２）の端部には付帯小型容器首部保持孔（３）が設けられている。
【００１３】
商品本体用孔（１）、（１２）は円形に限るものではなく、商品本体のキャップの形状や大きさに相応して変化させてよいものであり、商品本体のキャップに掛かれば、多角形等何れの意匠を用いても構わない。
付帯小型容器首部保持孔（３）は、付帯小型容器のキャップが抜け落ちないように首部が嵌合する大きさとするのがよく、付帯小型容器のキャップよりも小さく設けられる。なお、付帯小型容器首部保持孔（３）は半円形に限るものではなく、付帯小型容器のキャップ形状に相応して変化させてよいものであり、付帯小型容器のキャップの抜け落ちが無ければ多角形等何れの意匠を用いても構わない。
更には、付帯小型容器の首部に、より嵌合するように、例えば、図１のような半円ではなく、図２に示すような半円よりやや大きい５／８円や３／４円とし、付帯小型容器首部保持孔（３）に近接する位置の連通溝（２）に略三角形の突起（２５）を設けてもかまわない。この場合、付帯小型容器の首部は、連通溝（２）に設けられた略三角形の突起を乗り越えて付帯小型容器首部保持孔（３）に嵌合する。
【００１４】
図１の実施例の付帯小型容器吊り下げ用ホルダーは、４本の折曲線により５つの面を有する構造となっており、商品本体用孔（１）及び付帯小型容器首部保持孔（３）のある第１吊り掛け片（４）は、第１折曲線（５）を介して台紙前面部（６）が連設されている。
更に、第２折曲線（８）を介して台紙底部（９）が連設され、台紙底部（９）の中央には付帯小型容器胴底部保持孔（７）が設けられている。
付帯小型容器胴底部保持孔（７）は、図面においては円形のものを上下から押しつぶした俵のような形となっているが、付帯小型容器の胴部または底部の形状に相応して形成すればよく、付帯小型容器が把持できるものであれば多角形等何れの意匠を用いても構わない。図示はしていないが、例えば、付帯品がチューブ容器の場合は、底部のシール部分の形状と大きさに合わせ細長い孔にすれば良い。
【００１５】
台紙底部（９）に続いて第３折曲線（１０）を介して台紙後面部（１１）が、更に、第４折曲線（１３）を介して第２吊り掛け片（１４）が連設されており、第２吊り掛け片（１４）には商品本体用孔（１２）が設けられている。
商品本体用孔（１２）は商品本体用孔（１）と重ねて使用されるものであるが、その形は同じ（対称）であっても異なっていてもよく、商品本体のキャップに掛かれば、多角形等何れの意匠を用いても構わない。
【００１６】
次に、図３〜６に従って、本発明の付帯小型容器吊り下げ用ホルダーの使用手順を説明する。
まず、図３に示すように、付帯小型容器を台紙底部（９）の付帯小型容器胴底部保持孔（７）に挿入し、第１折曲線（５）、第２折曲線（８）及び第３折曲線（１０）を谷折にし、第４折曲線（１３）を山折にする。
次に、図４に示すように、第１吊り掛け片（４）の商品本体用孔（１）に付帯小型容器のキャップを挿入し、付帯小型容器の首部を連通溝（２）に沿って移動させ、付帯小型容器首部保持孔（３）に嵌合させる。
【００１７】
そして、図５に示すように、第１吊り掛け片（４）及び第２吊り掛け片（１４）のそれぞれの商品本体用孔（１）、（１２）を合わせ、最後に、図６に示すように、付帯小型容器を保持した付帯小型容器吊り下げ用ホルダーを、第１吊り掛け片（４）及び第２吊り掛け片（１４）にて商品本体の首部に掛け、保持させる。
【００１８】
図７及び図８は本発明の第２の実施例であって、付帯小型容器の吊り下げ位置を下げたものである。展開図を図７に示し、使用している状態を図８に示すものである。本発明の吊り下げ用ホルダーは、例えば、樹脂シート板で形成される。
【００１９】
図７及び図８において、（４）は第１吊り掛け片であって、商品本体用孔（１）が設けられている。
第１吊り掛け片（４）には、第１折曲線（１７）を介して垂下部（１８）が連設され、更に、第２折曲線（１９）を介して台紙天面部（２０）が連設されている。垂下部（１８）には付帯小型容器首部挿入孔（１５）が、台紙天面部（２０）には付帯小型容器首部保持孔（３）が設けられており、付帯小型容器首部挿入孔（１５）から付帯小型容器首部保持孔（３）まで、連通溝（２）が連通している。
なお、付帯小型容器首部挿入孔（１５）は円形に限るものではなく、付帯小型容器のキャップ形状に相応して変化させてよいものであり、多角形等何れの意匠を用いてもかまわない。
【００２０】
前記台紙天面部（２０）は、第３折曲線（２１）を介して台紙前面部（６）が、更に、第４折曲線（２２）を介して台紙底部（９）が連設されている。該台紙底部（９）中央には付帯小型容器胴底部保持孔（７）が設けられている。
【００２１】
更に、第５折曲線（２３）を介して台紙後面部（１１）が、第６折曲線（２４）を介して第２吊り掛け片（１４）が連設されている。第２吊り掛け片（１４）には商品本体用孔（１２）が設けられている。
【００２２】
本発明の第２の実施例の付帯小型容器吊り下げ用ホルダーの使用手順は、第１の実施例のものとほぼ同様であるが、前記第１の実施例においては、付帯小型容器のキャップを商品本体用孔（１）に挿入し、付帯小型容器の首部を連通溝（２）に沿って移動させ、付帯小型容器の首部を付帯小型容器首部保持孔（３）に嵌合させているのに対して、第２の実施例においては、付帯小型容器のキャップを付帯小型容器首部挿入孔（１５）に挿入し、付帯小型容器の首部を連通溝（２）に沿って移動させ、付帯小型容器の首部を付帯小型容器首部保持孔（３）に嵌合させている。すなわち、第１の実施例においては、商品本体用孔（１）が付帯小型容器首部挿入孔（１５）の役割を兼ねていたのに対し、この第２の実施例においては、商品本体用孔（１）とは独立して付帯小型容器首部挿入孔（１５）が設けられている。その他の手順はほぼ同じであり、第１実施例にはない垂下部（１８）及び台紙天面部（２０）を設けるよう第１及び第２折曲線にて適宜折り曲げればよい。
【００２３】
図９は本発明の第３の実施例であって、付帯小型容器の吊り下げ位置を下げた本発明の第２の実施例において、本発明の第１の実施例の技術を使ったもので、展開図を示すものである。本発明の吊り下げ用ホルダーは、例えば、樹脂コート厚紙で形成される。
【００２４】
図９において、（４）は第１吊り掛け片であって、商品本体用孔（１）が設けられている。第１吊り掛け片（４）には、第１折曲線（１７）を介して垂下部（１８）が連設され、更に第２折曲線（１９）を介して台紙天面部（２０）が連設されている。台紙天面部（２０）には、付帯小型容器首部保持孔（３）が設けられており、第１吊り掛け片（４）の商品本体用孔（１）から垂下部（１８）を通り、台紙天面部（２０）の付帯小型容器首部保持孔（３）まで、連通溝（２）が連通している。
【００２５】
前記台紙天面部（２０）には、第３折曲線（２１）を介して台紙前面部（６）が連設され、更に、第４折曲線（２２）を介して台紙底部（９）が連設されている。該台紙底部（９）中央には付帯小型容器胴底部保持孔（７）が設けられている。
【００２６】
更に、第５折曲線（２３）を介して台紙後面部（１１）が連設し、第６折曲線（２４）を介して第２吊り掛け片（１４）が連設されている。また、第２吊り掛け片（１４）には商品本体用孔（１２）が設けられている。
【００２７】
本発明の第３実施例の付帯小型容器吊り下げ用ホルダーの使用手順は、本発明の第１の実施例と第２の実施例を合わせたようなものである。すなわち、本発明の第３実施例においては、第１の実施例同様、付帯品小型容器のキャップを商品本体用孔（１）に挿入し、付帯小型容器の首部を連通溝（２）に沿って移動させ、付帯小型容器首部保持孔（３）に嵌合させ、第２の実施例とほぼ同じように折曲線にて折り曲げる。
【００２８】
第２、及び第３の実施例のように、付帯小型容器の吊り下げ位置を下げたものは使用時、つまり商品本体に付帯品を吊り下げた場合、全体としての重心が下がり、より安定して保持できる。
【００２９】
【発明の効果】
以上の如く本発明によれば、小型のボトルやチューブ等の付帯容器を、その首部及び胴部または底部を保持するとともに、その前面と後面とを包み込む構造としたので、商品本体の首部に安定して吊り下げることができる。
付帯小型容器は商品本体に安定して保持されるので、サンプル等の付帯品が多少の重い物である場合でも利用可能であり、更には、付帯小型容器は商品本体に対して着脱自在で、吊り下げ用ホルダー利用の機動性が高いものとなっている。
また、構造がシンプルであり、その利用手順も簡便であり、コストパフォーマンスに非常に優れたものである。
更にまた、本発明の吊り下げ用ホルダーの台紙に、商品名、キャッチコピー、商品の使用方法等の印刷をすれば、商品の展示効果を大いに高めることができる。
【図面の簡単な説明】
【図１】本発明の一実施例を示す展開図。
【図２】本発明の一実施例における付帯小型容器首部保持孔及び連通溝部分の別の例を示す拡大展開図。
【図３】本発明の使用手順（その１）を示す斜視図。
【図４】本発明の使用手順（その２）を示す斜視図。
【図５】本発明の使用手順（その３）を示す斜視図。
【図６】本発明の使用している状態を示す斜視図。
【図７】本発明の他の実施例を示す展開図。
【図８】本発明の他の実施例の使用している状態を示す斜視図。
【図９】本発明の更に他の実施例を示す展開図。
【図１０】従来例を示す斜視図。
【符号の説明】
１・・・商品本体用孔              ２・・・連通溝
３・・・付帯小型容器首部保持孔    ４・・・第１吊り掛け片
５・・・第１折曲線                ６・・・台紙前面部
７・・・付帯小型容器胴底部保持孔  ８・・・第２折曲線
９・・・台紙底部                  １０・・・第３折曲線
１１・・・台紙後面部              １２・・・商品本体用孔
１３・・・第４折曲線              １４・・・第２吊り掛け片
１５・・・付帯小型容器首部挿入孔  １７・・・第１折曲線
１８・・・垂下部                  １９・・・第２折曲線
２０・・・台紙天面部              ２１・・・第３折曲線
２２・・・第４折曲線              ２３・・・第５折曲線
２４・・・第６折曲線              ２５・・・突起
【図１】
0003777260.tif 000002
【図２】
0003777260.tif 000003
【図３】
0003777260.tif 000004
【図４】
0003777260.tif 000005
【図５】
0003777260.tif 000006
【図６】
0003777260.tif 000007
【図７】
0003777260.tif 000008
【図８】
0003777260.tif 000009
【図９】
0003777260.tif 000010
【図１０】
0003777260.tif 000011